(57)【特許請求の範囲】
【請求項１】
データに含まれる少なくとも映像データが圧縮符号化されてパケット構造にてディジタル伝送されてくるディジタル放送受信装置において、
前記データ内に含まれる同期用データに基づいて同期状態か否かを検出する同期検出手段、
前記データ中のフレーム内処理フレームまたはフィールド内処理フィールドを検出したとき前記フレーム内処理フレーム１フレームまたは前記フィールド内処理フィールド相当のかつ復号前の圧縮されている状態のビットストリームを出力するデータ検出手段、
前記ビットストリームを保持する第１メモリ手段、
前記ビットストリームを復号する復号手段、および
前記同期検出手段が同期外れを検出したとき前記第１メモリ手段内の１フレームまたは１フィールド相当の前記ビットストリームを前記復号手段に与える制御手段を備え、
前記ビットストリームを前記復号手段で復号した静止画像データを同期が回復するまで出力することを特徴とする、ディジタル放送受信装置。
【請求項２】
予め１フレームまたは１フィールド相当の画像データを圧縮したビットストリームが格納される第２メモリ手段をさらに備え、
前記制御手段は、前記同期検出手段が同期外れを検出したとき前記第１メモリ手段および前記第２メモリ手段の少なくともいずれか一方の前記ビットストリームを必要に応じて切り換えて前記復号手段に与える切換手段を含む、請求項１記載のディジタル放送受信装置。
【請求項３】
データに含まれる少なくとも映像データが圧縮符号化されてパケット構造にてディジタル伝送されてくるディジタル放送受信装置において、
前記データ内に含まれる同期用データに基づいて同期状態か否かを検出する同期検出手段、
予め１フレームまたは１フィールド相当の画像データを圧縮したビットストリームが格納される第２メモリ手段、
前記ビットストリームを復号する復号手段、および
前記同期検出手段が同期外れを検出したとき前記第２メモリ手段内の前記ビットストリームを前記復号手段に入力する制御手段を備え、
前記ビットストリームを前記復号手段で復号した静止画像データを同期が回復するまで出力することを特徴とする、ディジタル放送受信装置。
【発明の詳細な説明】
【０００１】
【産業上の利用分野】
この発明はディジタル放送受信装置に関し、特にたとえば映像データが圧縮符号化されてパケット構造にてディジタル伝送されてくるディジタル放送受信装置に関する。
【０００２】
【従来の技術】
従来技術の例を図１８ないし図２０に示す。
これは、
“ＤｉｇｉＣｉｐｈｅｒ  ＨＤＴＶ  Ｓｙｓｔｅｍ  Ｄｅｓｃｒｉｐｔｉｏｎ”（ＡＴＶＡ  １９９１．８．２２）
“ＤＩＧＩＴＡＬ  ＳＰＥＣＴＲＡＭ  ＣＯＭＰＡＴＩＢＬＥ  ＴＥＣＨＮＩＣＡＬ  ＤＥＴＡＩＬＳ  ”（Ｚｅｎｉｔｈ，ＡＴ＆Ｔ  １９９１．９．２３）
“Ａｄｖａｎｃｅｄ  Ｄｉｇｉｔａｌ  ＨＤＴＶ  Ｓｙｓｔｅｍ  Ｄｅｓｃｒｉｐｔｉｏｎ”（ＡＴＲＣ  １９９２．１．２０）
“Ｃｈａｎｎｅｌ  Ｃｏｍｐａｔｉｂｌｅ  ＤｉｇｉＣｉｐｈｅｒ  ＨＤＴＶ  Ｓｙｓｔｅｍ  ”（ＡＴＶＡ  １９９２．５．１４）
を参考にしている。
【０００３】
ここで、図１８に示す従来のディジタル放送受信装置１は、予測符号化方式として、動き補償予測符号化，前方予測のみ，および数フレーム毎に１フレームをフレーム内処理（つまり予測なし）を行ってリフレッシュする場合の例である。
受信されたデータは、チューナ１ａ，ディジタル復調回路１ｂおよび波形等価器１ｃを経て、同期回路１ｄに入力される。ここでいう同期回路１ｄとは、データ中に含まれるパケット同期信号等の同期用信号を認識し、以降の処理をデータ構造に同期させる回路のことである。同期回路１ｄでデータ構造が認識され、誤り訂正回路１ｅおよび復号回路群１ｆを経てディスプレイに出力、表示される。
【０００４】
次に、図１９に示す従来のディジタル放送受信装置２は、予測符号化方式として、動き補償予測符号化を行い、さらに数フレームを１つの符号化単位（ＧＯＰ：Ｇｒｏｕｐ  ｏｆ  Ｐｉｃｔｕｒｅｓ）とし、ＧＯＰ内には１つのフレーム内処理フレームと数フレームの前方向予測フレームと前／後予測フレームとが混在する場合の例である。
【０００５】
この符号化方式の場合、前／後予測フレームが存在するため、表示画像フレームの出力順と送信されてくるフレーム（復号されるフレーム）の順序が異なる。このため出力回路２ａの前段に数フレーム分のフレームメモリ回路２ｂを必要とする。ディジタル放送受信装置２の動作はディジタル放送受信装置１とほぼ変わらないが、前／後予測フレーム復号を行うためにフレームメモリ回路２ｃのメモリ量および制御処理量，動き補償回路２ｄの処理量が増加する。
【０００６】
そして復号された画像データは出力回路２ａ前段のフレームメモリ回路２ｂに入力され、出力は出力順に行われ、ディスプレイに表示される。
次いで、図２０に示す従来のディジタル放送受信装置３においては、受信されたデータは、先の従来例と同様、チューナ３ａ，ディジタル復調回路３ｂおよび波形等価器３ｃを経て、同期回路３ｄに入力される。同期回路３ｄでデータ構造が認識され、誤り訂正回路３ｅを経てデータ検出回路３ｆに入力される。データ検出回路３ｆは、データ（映像データストリーム）中に含まれる画像フレーム（フレーム内処理，フレーム間処理等），動きベクトルおよび復号情報データ等の各データをヘッダデータを基に検出および認識し、データに応じて復号回路３ｇを制御する機能をもつ。復号回路３ｇで復号された画像データは出力回路３ｈを経てディスプレイに入力され表示される。
【０００７】
【発明が解決しようとする課題】
図１８ないし図２０に示すような従来のディジタル放送受信装置１ないし３では、正常受信時には問題はないが、異常受信時（同期外れのとき）に乱れた画像をそのまま出力，表示してしまうことは問題である。
また、ディジタル伝送には“クリフエフェクト（断崖効果）”と呼ばれる特有の性質がある。これは、受信環境の変化によって受信データの歪みや妨害が増加し、歪みの状態が或る閾値を超えると受信装置において同期が外れ、それまで良好に受信，表示していた画像が突然乱れてしまう現象である。ディジタル伝送の場合、データは雑音に強く、受信装置は誤り訂正能力も備えているので、或る程度までは非常に良好な受信画像が得られる。しかしその範囲を超えると極端に画像が乱れ、その落差が非常に激しいので問題となっており、それが視聴者に及ぼす不快感も問題である。
【０００８】
また、受信装置の電源オン時、受信環境が悪い場合に正常受信可能な環境に回復するまで、乱れた画像を出力し続けるのも問題である。
それゆえに、この発明の主たる目的は、乱れた画像が出力されない、ディジタル放送受信装置を提供することである。
【０００９】
【課題を解決するための手段】
第１の発明は、データに含まれる少なくとも映像データが圧縮符号化されてパケット構造にてディジタル伝送されてくるディジタル放送受信装置において、データ内に含まれる同期用データに基づいて同期状態か否かを検出する同期検出手段、データ中のフレーム内処理フレームまたはフィールド内処理フィールドを検出したときフレーム内処理フレーム１フレームまたはフィールド内処理フィールド相当のかつ復号前の圧縮されている状態のビットストリームを出力するデータ検出手段、ビットストリームを保持する第１メモリ手段、ビットストリームを復号する復号手段、および同期検出手段が同期外れを検出したとき第１メモリ手段内の１フレームまたは１フィールド相当のビットストリームを復号手段に与える制御手段を備え、ビットストリームを復号手段で復号した静止画像データを同期が回復するまで出力することを特徴とする、ディジタル放送受信装置である
【００１３】
第２の発明は、データに含まれる少なくとも映像データが圧縮符号化されてパケット構造にてディジタル伝送されてくるディジタル放送受信装置において、データ内に含まれる同期用データに基づいて同期状態か否かを検出する同期検出手段、予め１フレームまたは１フィールド相当の画像データを圧縮したビットストリームが格納される第２メモリ手段、ビットストリームを復号する復号手段、および同期検出手段が同期外れを検出したとき第２メモリ手段内のビットストリームを復号手段に入力する制御手段を備え、ビットストリームを復号手段で復号した静止画像データを同期が回復するまで出力することを特徴とする、ディジタル放送受信装置である。
【００１５】
【作用】
第１の発明では、同期検出手段から同期／非同期を示す信号を得、その信号に応じて復号手段への入力を制御する。非同期時には、先に正常に受信されて第１メモリ手段内に格納されている完全なフレーム内処理フレーム１フレームまたはフィールド内処理フィールド１フィールド相当のビットストリーム（復号前の圧縮された状態）を、同期が回復した後正常な復号画像が出力可能になるまで復号手段に入力し続けて、復号手段からはその静止画像データを出力する。復号手段へは、第２メモリ手段から画像１フレームまたは１フィールド相当のビットストリームを出力するようにしてもよい。
【００１８】
第２の発明も第１の発明とほぼ同様に動作するが、同期検出手段が非同期を検出した場合には、第２メモリ手段から画像１フレームまたは１フィールド相当のビットストリーム（復号前の圧縮された状態）を復号手段に入力して、復号手段からは同期が回復するまでその静止画像データを出力し続ける。
【００１９】
【発明の効果】
この発明によれば、受信環境の悪化によって同期外れが発生した場合、乱れた画像を出力せずに完全なフレームまたはフィールド復号画像の静止画像を出力することによって、視聴者の不快感を軽減することができる。また、予め準備した静止画像を出力することによって視聴者に状況をメッセージすることもできる。さらに、出力される静止画像は完全なビットストリームを復号したものであるので、すなわち、メモリが保持する１フレームまたは１フィールド相当のデータは復号前の圧縮された状態のビットストリームであるので、その容量を節約することができる。
【００２２】
この発明の上述の目的，その他の目的，特徴および利点は、図面を参照して行う以下の実施例の詳細な説明から一層明らかとなろう。
【００２３】
【実施例】
図１に示すこの発明の一実施例のディジタル放送受信装置１０は、予測符号化方式として、動き補償予測符号化，前方予測のみ，および数フレーム毎に１フレームをフレーム内処理（つまり予測なし）を行ってリフレッシュする場合の例であり、図１８の従来例に対応する。
【００２４】
アンテナ入力を介してチューナ１２には、データが圧縮符号化されたパケット構造にてディジタル伝送されてくる。そのパケット構造としては、たとえば図２（Ａ）に示すようなＡＴＶ伝送パケットや、図２（Ｂ）に示すＦＭ多重伝送パケットなどがある。図２（Ａ）に示すＡＴＶ伝送パケットは、同期用信号である１バイトのＳｙｎｃ．，前のパケットとのつながりや内部データに関する情報等を含む３バイトのリンクヘッダ，１８４バイトのデータ，および誤り訂正のための２０バイトのパリティを含む。また、図２（Ｂ）に示すＦＭ多重伝送パケットには、同期用信号である１６ビットのＢＩＣ，１７６ビットのデータ，誤り検出のための１４ビットのＣＲＣ，および誤り訂正のための８２ビットのパリティを含む。
【００２５】
このようなデータは、チューナ１２，ディジタル復調回路１４および波形等価器１６を経て、同期回路１８に入力される。同期回路１８は、データ中に含まれるパケット同期信号等の同期用信号を認識し、以降の処理をデータ構造に同期させる。
同期回路１８は、たとえば図３に示すように構成される。図３を参照して、同期回路１８は同期パターン比較回路２０を含む。同期パターン比較回路２０で、所定の同期パターンと送られてきたデータとを比較して同じパターンを検出すると同期カウンタ回路２２にロード信号を与える。すると同期カウンタ回路２２はカウントを開始し同期カウンタ回路２２がキャリーアウトするとＴＣ信号を出力する。このＴＣ信号はパケット周期で出力される（したがってＴＣ信号はロード信号と同一タイミングで出力される）。同期検出回路２４では、ＴＣ信号が与えられるタイミングで、同期パターン比較回路から同じパターンを検出した旨の検出信号が与えられれば、同期状態を示すローレベルの同期状態信号が出力され、同じパターンが検出されていない旨の検出信号が与えられれば、非同期状態を示すハイレベルの同期状態信号を出力する。また、電源オンリセット時にはローレベルの信号が同期検出回路２４に与えられ、このとき同期検出回路２４は非同期状態を示すハイレベルの同期状態信号を出力する。このような同期状態信号は制御回路２６に与えられる。
【００２６】
また、波形等価器２６から与えられるデータは同期回路１８を通って誤り訂正回路２８に与えられ、誤り訂正された後伸長回路３０に与えられる。
伸長回路３０では、圧縮されているデータ（ビットストリーム）に対し、逆量子化，逆ＤＣＴ等を行い、１フレーム中の各画素に対応した各種のデータを導く。伸長回路３０から制御回路２６には伸長状態信号およびフレームパルスが与えられる。伸長状態信号は、フレーム内処理フレームを伸長できたか否かを示す信号であり、フレームパルスはフレームの切り換わりを知るために、たとえばフレームの最後に出力される。また、伸長回路３０からは、フレーム内処理／フレーム間処理回路１２にフレーム内／間処理切換信号が与えられ、動き補償回路３４に動きベクトルが与えられる。
【００２７】
制御回路２６は、たとえば図４に示すように構成される。図４を参照して、制御回路２６は、スイッチング制御回路３６，３８，フレームメモリ制御回路４０，予測処理制限回路４２，ＯＲゲート４４および４６を含む。スイッチング制御回路３６，３８，フレームメモリ制御回路４０および予測処理制限回路４２は、同期状態信号および伸長状態信号に基づいて制御される。スイッチング制御回路３６および３８は、それぞれスイッチ４８および５０を制御するためのスイッチング制御信号を出力し、フレームメモリ制御回路４０はフレームメモリ５２を制御するためのメモリ制御信号を出力し、予測処理制限回路４２は、フレーム内処理／フレーム間処理回路３２および動き補償回路３４をそれぞれ制御するための予測処理制限信号を出力する。また、ＯＲゲート４６には電源オンリセット信号（リセット時にローレベル）および伸長回路３０からのフレームパルス（フレームの最後に出力されるローレベルの信号）が与えられ、ＯＲゲート４６からはＲＯＭカウンタリセット信号がＲＯＭ回路５４に与えられる。ローレベルのＲＯＭカウンタリセット信号によって、ＲＯＭ回路５４のカウンタ回路５６はリセットされる。
【００２８】
ＲＯＭ回路５４は、たとえば図５に示すように構成される。図５を参照して、ＲＯＭ回路５４は、カウンタ５６およびＲＯＭ５８を含む。カウンタ回路５６に制御回路２６からローレベルのＲＯＭカウンタリセット信号が与えられると、カウンタ回路５６はリセットされた後カウントを開始する。そのカウント値がアドレスとしてＲＯＭ５８に与えられ、ＲＯＭ５８からはアドレスに対応するデータが出力される。すなわち、電源オンリセットあるいはフレームパルスに基づいて、ＲＯＭ５８内の１フレームデータである静止画像データがスイッチ４８および５０に与えられる。ＲＯＭ５８に格納される静止画像データとしては、たとえば図６（Ａ）および（Ｂ）に示すようなデータが用いられる。この静止画像データの文字色や背景色は任意であるが、フレームメモリ５２内に格納される静止画像データ上に重ねて出力する場合には、たとえば、文字は最大輝度“白”，背景は透明（データ値“０”）とするのが望ましい。
【００２９】
また、フレームメモリ５２は、たとえば図７に示すように構成される。図７を参照して、フレームメモリ５２は、メモリコントローラ６０，ＦＩＦＯ６２，６４，インバータ６６および６８を含む。メモリコントローラ６０は制御回路２６からのメモリ制御信号によって制御され、ＲＥ（リードイネーブル）信号およびＷＥ（ライトイネーブル）信号をＦＩＦＯ６２および６４に与える。ＲＥ信号はインバータ６６を介してＦＩＦＯ６４に与えられ、ＷＥ信号はインバータ６８を介してＦＩＦＯ６２に与えられる。また、メモリコントローラ６０は、アドレスリセット信号をＦＩＦＯ６２および６４に与える。したがって、ＦＩＦＯ６２および６４は、ＲＥ信号およびＷＥ信号によって、加算器６９からのデータの書き込み／読み出しの切り換えおよび切り換え禁止が制御される。なお、アドレスリセット信号は１フレーム周期で出力される。このように、フレームメモリ回路５２は２フレーム分のメモリを有し、書込メモリと読出メモリとを１フレーム毎に切り換えることによって読出メモリには常に前フレーム復号画像が完全な形で保持される。
【００３０】
そして、フレームメモリ５２からのデータは、動き補償回路３４およびフレーム内処理／フレーム間処理回路３２で所定の処理が行われて加算器６９に与えられ、伸長回路３０からのデータに加算されて、スイッチ５０および出力回路７０を介してディスプレイに表示される。
ここで、図８を参照して、ディジタル放送受信装置１０の動作を説明する。
【００３１】
まず、受信装置の電源をオンすると、図８に示すようにローレベルの電源オンリセット信号が与えられる。受信装置の電源オン時から同期不可能な場合には、ＲＯＭ回路５４からの静止画像データのみを出力する設定で対処できる。
すなわち、受信装置電源オン時から同期不可能な場合、同期回路１８からのハイレベルの同期状態信号によって制御回路２６に同期不可能が伝えられる。同期不可能を確認した制御回路２６は２つのスイッチ４８および５０をそれぞれ端子４８ｂおよび５０ｂに接続する。そして、フレームメモリ回路５２を制御し、その時点で読出メモリと書込メモリとの切り換えを禁止し、ＲＯＭ回路５４からの静止画像データを出力する。このとき、さらにフレーム内処理／フレーム間処理回路３２および動き補償回路３４をそれぞれ強制的にフレーム間処理および動き補償なしに設定する。
【００３２】
受信状態が正常に戻り、同期が回復すれば、ローレベルの同期状態信号によって制御回路２６に同期完了が伝えられる。そして、制御回路２６は、伸長回路３０を伸長状態信号によってモニタして、同期回復後の最初のフレーム内処理フレームが正常に復号され伸長回路３０から出力され始めると、同時にスイッチ４８および５０をそれぞれ端子４８ａおよび５０ａに接続する。そして、２つの強制設定を解除することによって、そのフレームを出力し始める。このときのフレームメモリ回路５２の読出メモリと書込メモリとの切り換えは固定されたままであり、フレーム内処理フレームが完全にフレームメモリ回路５２に書き込まれた時点でメモリ切り換え禁止を解除する。これで全ての処理が正常に動作し始める。ただし、同期回復後所定の処理を行い、全ての処理が正常に動作を始める前に再び同期不可能な状態になった場合には、電源オン時から同期不可能な場合の処理を再び繰り返す。
【００３３】
一方、受信状況の良い場合の受信装置の電源オン時にも、電源オン時から同期不可能な場合と同じ処理を行うことによって出力ミュート機能を果たし、異常な画像データを出力しないようにする。
その後、何らかの原因で受信状態が悪化し同期不可能になった場合には、上述と同様に、同期回路１８からのハイレベルの同期状態信号によって制御回路２６に同期不可能が伝えられる。同期不可能を確認した制御回路２６は２つのスイッチ４８および５０を切り換える。フレームメモリ回路５２の読出メモリから前フレーム復号画像の静止画像データを出力する場合には、スイッチ４８および５０を、それぞれ端子４８ｂおよび５０ａに接続する。そして、フレームメモリ回路５２を制御し、その時点で読出メモリと書込メモリとの切り換えを禁止することによって、読出メモリ内の前フレーム復号画像を出力し続けるようにし、さらにフレーム内処理／フレーム間処理回路３２および動き補償回路３４を強制的にそれぞれフレーム間処理および動き補償なしに設定する。
【００３４】
このとき、スイッチ４８および５０をそれぞれ端子４８ｂおよび５０ｂに接続すれば、ＲＯＭ回路５４からの静止画像データが出力される。さらに、スイッチ４８および５０を、それぞれ端子４８ｃおよび５０ａに接続すれば、フレームメモリ回路５２からの静止画像データとＲＯＭ回路５４からの静止画像データとを合成した画像データ、すなわち前フレーム復号画像の静止画像上にメッセージを表示したような画像を出力することもできる。
【００３５】
受信状態が正常に戻り、同期が回復すれば、ローレベルの同期状態信号によって制御回路２６に同期完了が伝えられ、スイッチ４８および５０をそれぞれ端子４８ｂおよび５０ｂに接続することによって、出力をＲＯＭ回路５４からの静止画像データに設定する。そして、制御回路２６は、上述のように、伸長回路３０を伸長状態信号によってモニタして、同期回復後の最初のフレーム内処理フレームが正常に復号され伸長回路３０から出力され始めると、同時にスイッチ４８および５０をそれぞれ端子４８ａおよび５０ａに接続する。そして、２つの強制設定を解除することによって、そのフレームを出力し始める。このときのフレームメモリ回路５２の読出メモリと書込メモリとの切り換えは固定されたままであり、フレーム内処理フレームが完全にフレームメモリ回路５２に書き込まれた時点でメモリ切り換え禁止を解除する。これで全ての処理が正常に動作し始める。
【００３６】
図９に示すこの発明の他の実施例のディジタル放送受信装置８０は、予測符号化方式として、動き補償予測符号化を行い、さらに数フレームを１つの符号化単位（ＧＯＰ）とし、ＧＯＰ内には１つのフレーム内処理フレーム（Ｉ・ピクチャ）と数フレームの前方向予測フレーム（Ｐ・ピクチャ）と前／後予測フレーム（Ｂ・ピクチャ）とが混在する場合の例である。
【００３７】
図９に示すディジタル放送受信装置８０は、図１９に示すディジタル放送受信装置２に、制御回路８２，ＲＯＭ回路５４およびスイッチ５０を付加して構成される。
このディジタル放送受信装置８０において、伸長回路３０は、図１に示す実施例と同様、圧縮されているデータ（ビットストリーム）を、逆量子化，逆ＤＣＴ等を行い、１フレーム中の各画素に対応したデータを導く回路であり、制御回路８２に伸長状態信号およびフレームパルスを出力し、フレーム内処理／フレーム間処理回路３２にフレーム内／間処理切換信号を、動き補償回路３４に動きベクトルを、フレームメモリ回路８４にＢ・ピクチャを取り込まないようにするためのフレーム判別信号を出力する。
【００３８】
制御回路８２は、たとえば図１０に示すように構成される。図１０を参照して、制御回路８２は、図４に示す制御回路２６からスイッチング制御回路３６および予測処理制限回路４２を省略して構成される。制御回路８２は、同期状態信号および伸長状態信号が与えられるスイッチング制御回路８６によってスイッチ５０を制御し、同期状態信号，伸長状態信号およびフレームパルスが与えられるフレームメモリ制御回路４０によってフレームメモリ回路８６を制御する。また、ＯＲゲート４６からの出力によってＲＯＭ回路５４が制御される。
【００３９】
また、フレームメモリ回路８４は、たとえば図７に示すように構成され、この場合、メモリコントローラ６０には伸長回路３０からフレーム判別信号が与えられる。このフレーム判別信号によって、フレームメモリ回路８４はＢ・ピクチャのデータを格納しないように制御される。したがって、フレームメモリ８４のＦＩＦＯ６２および６４には、Ｉ・ピクチャあるいはＰ・ピクチャが格納される。フレームメモリ８４のＦＩＦＯ６２および６４は、メモリコントローラ６０からのＲＥ信号およびＷＥ信号によって制御されるが、フレームメモリ５２の場合とは異なり、切り換え禁止状態は存在しない。そして、フレームメモリ回路８４から読み出されたデータは、動き補償回路３４で動き補償された後、フレーム内処理／フレーム間処理回路３２を介して出力される。フレーム内処理／フレーム間処理回路３２は、フレーム内処理フレームを出力せず、フレーム間処理フレームを加算器６９に出力するという、スイッチング機能を果たす。そして、加算器６９からは、フレーム内処理フレームであるＩ・ピクチャ，フレーム間処理フレームであるＰ・ピクチャおよびＢ・ピクチャが出力される。
【００４０】
また、出力回路７０の前段のフレームメモリ回路８６は、たとえば図１１に示すように構成される。図１１に示すフレームメモリ回路８６は、メモリコントローラ８８およびｍ個のＦＩＦＯ９０を含む。正常時には、ＷＥ信号を制御して復号順に書き込みを行い、ＲＥ信号を制御して表示順に読み出す。ＷＥ信号を制御して書き込みの完全禁止を行うこともでき、また、ＲＥ信号を制御して同じＦＩＦＯ９０からの出力を続けることもできる。なお、ＦＩＦＯ９０の個数ｍは、ＧＯＰ内のフレーム数に応じて設定される。このフレームメモリ回路８６を利用して、同期不可能時の前フレーム復号画像（復号順序における）が出力される。受信装置が正常な復号を１フレーム以上継続していれば、このフレームメモリ回路８６には１フレーム以上の完全な復号画像が存在する。
【００４１】
その他の構成については図１の実施例と同様に構成されるので、重複する説明は省略する。
ディジタル放送受信装置８０の動作を、図１２を参照して説明する。
まず、受信装置の電源をオンすると、ローレベルの電源オンリセット信号が入力される。受信装置の電源オン時から同期不可能な場合には、ＲＯＭ回路５４からの静止画像データのみを出力する設定で対処できる。
【００４２】
すなわち、受信装置電源オン時から同期不可能な場合には、同期回路１８からのハイレベルの同期状態信号によって制御回路８２に同期不可能が伝えられる。同期不可能を確認した制御回路８２は、スイッチ５０を端子５０ｂに接続し、フレームメモリ回路８６を書き込み禁止にし、ＲＯＭ回路５４からの静止画像データを出力し続けるように読み出し制限を行う。
【００４３】
受信状態が正常に戻り、同期が回復すれば、ローレベルの同期状態信号によって制御回路８２に同期完了が伝えられるが、状態はそのままである。そして、制御回路８２は、伸長回路３０を伸長状態信号によってモニタして、同期回復後の最初のフレーム内処理フレームが正常に復号され伸長回路３０から出力し始めた時点で、フレームメモリ回路８６の書き込み禁止を解除するが、読み出し制限は行ったままにする。そして、同期回復後、最初のフレーム内処理フレームが出力可能になった時点でフレームメモリ回路８６の読み出し制限を解除してスイッチ５０を端子５０ａに接続すれば、全ての処理が正常に動作し始める。ただし、同期回復後所定の処理を行い、全ての処理が正常に動作を始める前に再び同期不可能な状態になった場合には、電源オン時から同期不可能な場合の処理を再び繰り返す。
【００４４】
一方、受信状態の良い場合の受信装置電源オン時にも、電源オン時から同期不可能な場合と同じ処理を行うことによって出力ミュート機能を果たす。
その後、何らかの原因で受信状態が悪化し同期不可能な状態になった場合には、再び同期回路１８からのハイレベルの同期状態信号によって制御回路８２に同期不可能が伝えられる。すると上述したように、同期不可能を確認した制御回路８２はフレームメモリ回路８６を書き込み禁止にし、読み出し制限を行い、スイッチ５０を制御する。
【００４５】
正常受信時にはスイッチ５０は端子５０ａに接続されており、スイッチ５０をそのまま端子５０ａに接続しておけば、その時点で出力されていたフレーム画像の静止画像データを出力し続けるように読み出し制限される。このとき、スイッチ５０の接続を端子５０ｂに切り換えれば、ＲＯＭ回路５４からの静止画像データを出力することもできる。
【００４６】
そして、受信状態が正常に戻り、同期が回復した後は上述と同様に処理され、やがて全ての処理が正常に動作し始める。
図１３に示すこの発明のその他の実施例のディジタル放送受信装置１００は、予測符号化方式として、動き補償予測符号化を用い、さらに数フレーム毎に１フレームをフレーム内処理（つまり予測なし）してリフレッシュする場合の例である。
【００４７】
ディジタル放送受信装置１００は、図２０に示す従来のディジタル放送受信装置３に、制御回路１０２，ＲＯＭ回路１０４，メモリ回路１０６，スイッチ１０８および１１０を付加したものである。なお、データ検出回路１１２および復号回路１１４は、図１に示すディジタル放送受信装置１０の伸長回路３０とその後段のフィードバックループ（フレーム内処理／フレーム間処理回路３２，動き補償回路３４，加算器６９およびフレームメモリ回路５２等を含む）とのブロック切り分けを変更したものである。データ検出回路１１２は、データ（映像データストリーム）中に含まれる画像フレーム（フレーム内処理，フレーム間処理等），動きベクトルおよび復号情報データ等の各データを検出および認識し、データに応じて復号回路１１４を制御する機能をもつ。復号回路１１４で復号された画像データは出力回路７０を経てディスプレイに入力され表示される。
【００４８】
制御回路１０２は、たとえば図１４に示すように構成される。図１４を参照して、制御回路１０２は、スイッチング制御回路１１６，１１８，メモリ制御回路１２０，パルス処理回路１２２，ＯＲゲート１２４および１２６を含む。スイッチング制御回路１１６，１１８およびメモリ制御回路１２０は、それぞれ同期回路１８からの同期状態信号およびデータ検出回路１１２からのフレーム内処理フレーム検出信号（フレーム内処理時にローレベル）に基づいて制御される。スイッチング制御回路１１６および１１８は、それぞれスイッチ１０８および１１０を制御するためのスイッチ制御信号を出力し、メモリ制御回路１２０は、メモリ回路１０６を制御するためのメモリ制御信号を出力する。また、パルス処理回路１１０は、同期不可能となった時点でローレベルのパルスを発生し、ＯＲゲート１２６からのＲＯＭカウンタリセット信号によってＲＯＭ回路１０４が制御される。
【００４９】
ＲＯＭ回路１０４は、たとえば図１５に示すように構成される。図１５に示すＲＯＭ回路１０４は、カウンタ回路１２８，ＲＯＭ１３０およびＯＲゲート１３２を含む。そして、制御回路１０２のＯＲゲート１２６からのＲＯＭカウンタリセット信号，またはＲＯＭ１３０に格納されている最終アドレスのデータに含まれるリセット信号が、ＯＲゲート１３２を介してカウンタ回路１２８に与えられる。カウンタ回路１２８はこれらの信号がローレベルのときリセットされ、カウントを開始する。カウンタ回路１２８のカウント値はアドレスとしてＲＯＭ１３０に与えられ、ＲＯＭ１３０からはアドレスに応じたデータをスイッチ１１０に出力する。なお、ＲＯＭ１３０の最終アドレスのデータにリセット信号を含んでいるのは、ＲＯＭ１３０に格納されているデータ量が静止画像データによって異なるためであり、最終アドレスのデータを読み出した後、続けてデータを先頭アドレスから繰り返して出力できるようにするためである。
【００５０】
また、メモリ回路１０６は、たとえば図１６に示すように構成される。図１６に示すメモリ回路１０６は、メモリコントローラ１３４，ＦＩＦＯ１３６および１３８を含む。メモリコントローラ１３４は、制御回路１０２から与えられるメモリ制御信号に基づいて、ＷＥ信号，ＲＥ信号，ＷＲＳＴ（ライトリセット）信号およびＲＲＳＴ（リードリセット）信号を出力する。ＲＥ信号およびＷＥ信号によって、データ検出回路１１２からＦＩＦＯ１３６および１３８へのデータの書き込み／読み出しの切り換えおよび切り換えの禁止を制御する。ＷＥ信号およびＷＲＳＴ信号はフレーム内処理フレーム検出周期でアクティブとなり、ＲＥ信号およびＲＲＳＴ信号は同期不可能となったときにアクティブとなる。
【００５１】
その他の構成については図１に示す実施例と同様であるので、重複する説明は省略する。
ディジタル放送受信装置１００は、正常受信時には従来のディジタル放送受信装置３と同様に動作するが、このとき、メモリ回路１０６にフレーム内処理フレーム１フレーム相当の復号前の圧縮された状態のデータ（ビットストリーム）を更新しながら書き込む動作を伴う。メモリ回路１０６は上述のようにメモリ２系統（ＦＩＦＯ１３６と１３８）を有し、読み出し系と書き込み系を１フレーム相当のビットストリームを書き込む毎に切り換えることによって、読み出し系には常に１フレーム相当のビットストリームが完全な形で保持されているようになっている。データ検出回路１１２は、フレーム内処理フレームを検出する毎にそのビットストリームをメモリ回路１０６に出力して、そのビットストリームをメモリ回路１０６の書き込み系に書き込む。
【００５２】
このディジタル放送受信装置１００の動作を、図１７を参照して説明する。
まず、受信装置の電源がオンするとローレベルの電源オンリセット信号が与えられる。受信装置の電源オン時から同期不可能な場合には、１フレーム相当の画像が圧縮された状態のビットストリームをＲＯＭ回路１０４から復号回路１１４に入力し、復号回路１１４からその静止画像データを出力する設定で対処できる。
【００５３】
すなわち、受信装置の電源オン時から同期不可能な場合には、同期回路１８からのハイレベルの同期状態信号に基づいて制御回路１０２に同期不可能が伝えられる。同期不可能を確認した制御回路１０２は２つのスイッチ１０８および１１０をそれぞれ端子１０８ｂおよび１１０ｂに接続する。そして、メモリ回路１０６の読み出し系，書き込み系の切り換えを禁止する。スイッチ１０８および１１０をそれぞれ端子１０８ｂおよび１１０ｂに接続することによって、ＲＯＭ回路１０４からのビットストリームを復号回路１１４に入力し、復号回路１１４からはその静止画像データを出力する。
【００５４】
受信状態が正常に戻り、同期が回復すれば、同期状態信号に基づいて制御回路１０２に同期完了が伝えられるが、状態はそのままである。そして、制御回路１０２は、データ検出回路１１２からのフレーム内処理フレーム検出信号をモニタして、データ検出回路１１２からそのビットストリームを出力し始めた時点すなわちフレーム内処理フレーム検出信号がローレベルになった時点で、スイッチ１０８を端子１０８ａに接続して、ビットストリームの復号回路１１４への入力を開始すると同時に、メモリ回路１０６への書き込みも開始する。
【００５５】
最後に、そのフレーム内処理フレームのビットストリームが完全にメモリ回路１０６に書き込まれた時点でメモリ系統の切り換え禁止を解除する。このとき、スイッチ１１０は、端子１１０ａまたは１１０ｂのどちらに接続されていてもよい。これで全ての処理が正常に動作し始める。ただし、同期回復後所定の処理を行い、全ての処理が正常に動作を始める前に再び同期不可能になった場合には、電源オン時から同期不可能な場合の処理を再び繰り返す。
【００５６】
一方、受信状態の良い場合の受信装置電源オン時にも、電源オン時から同期不可能な場合と同じ処理を行うことによって出力ミュート機能を果たす。
その後、何らかの原因で受信状態が悪化し同期不可能な状態なった場合、同期回路１８からのハイレベルの同期状態信号に基づいて制御回路１０２に同期不可能が伝えられる。同期不可能を確認した制御回路１０２はスイッチ１０８を切り換え、端子１０８ｂに接続する。そして、メモリ回路１０６の読み出し系および書き込み系の切り換えを禁止する。このとき、スイッチ１０８を端子１０８ｂに接続し、スイッチ１１０を端子１１０ａに接続すると、メモリ回路１０６内の読み出し系からのフレーム間処理フレームのビットストリームを復号回路１１４に入力し、復号回路１１４からはその静止画像データを出力し続けるようにする。また、スイッチ１０８を端子１０８ｂに接続し、スイッチ１１０を端子１１０ｂに接続すると、ＲＯＭ回路１０４からのビットストリームを復号回路１１４に入力し、復号回路１１４からその静止画像データを出力するようにできる。
【００５７】
その後受信状態が正常に戻り、同期が回復すれば上述と同様に処理される。
このように動作するディジタル放送受信装置１００では、ＲＯＭ回路１０４およびメモリ回路１０２には、１フレーム相当の画像が圧縮された状態のビットストリームを格納するだけでよいので、容量を節約することができ、ひいては受信装置の価格を抑えることができる。
【００５８】
上述の各実施例によれば、受信状態の悪化により同期不可能な状態になった場合や受信装置電源オン時に、乱れた画像を出力せずに、静止画像やメッセージ画面等を出力することにより、視聴者の不快感を軽減するとともに視聴者に対し受信装置の状態を伝えることができる。
なお、上述の各実施例では、フレームメモリ回路５２等を用いフレーム単位で処理する場合について述べたが、この発明は、予測符号化方式を用いるものであれば、たとえばフィールドメモリ回路等を用いフィールド単位で処理する場合などにも応用できることはいうまでもない。
【図面の簡単な説明】
【図１】この発明の一実施例を示すブロック図である。
【図２】（Ａ）はＡＴＶ伝送パケットのパケット構造の一例を示す図解図であり、（Ｂ）はＦＭ多重伝送パケットのパケット構造の一例を示す図解図である。
【図３】同期回路の一例を示すブロック図である。
【図４】図１実施例の制御回路の一例を示すブロック図である。
【図５】図１実施例のＲＯＭ回路の一例を示すブロック図である。
【図６】ＲＯＭ回路に格納されているデータの一例を示す図解図である。
【図７】図１および図９実施例でそれぞれ用いられるフレームメモリ回路の一例を示すブロック図である。
【図８】図１実施例の動作の一例を示すタイミング図である。
【図９】この発明の他の実施例を示すブロック図である。
【図１０】図９実施例の制御回路の一例を示すブロック図である。
【図１１】図９実施例のフレームメモリ回路の一例を示すブロック図である。
【図１２】図９実施例の動作の一例を示すフロー図である。
【図１３】この発明のその他の実施例を示すブロック図である。
【図１４】図１３実施例の制御回路の一例を示すブロック図である。
【図１５】図１３実施例のＲＯＭ回路の一例を示すブロック図である。
【図１６】メモリ回路の一例を示すフロー図である。
【図１７】図１３実施例の動作の一例を示すタイミング図である。
【図１８】従来技術の一例を示すブロック図である。
【図１９】他の従来技術の一例を示すブロック図である。
【図２０】その他の従来技術の一例を示すブロック図である。
【符号の説明】
１０，８０，１００  …ディジタル放送受信装置
１８  …同期回路
２６，８２，１０２  …制御回路
５２，８４，８６  …フレームメモリ回路
５４，１０４  …ＲＯＭ回路
１０６  …メモリ回路
【図１】
0003604725.tif 000002
【図２】
0003604725.tif 000003
【図３】
0003604725.tif 000004
【図４】
0003604725.tif 000005
【図５】
0003604725.tif 000006
【図６】
0003604725.tif 000007
【図７】
0003604725.tif 000008
【図８】
0003604725.tif 000009
【図９】
0003604725.tif 000010
【図１０】
0003604725.tif 000011
【図１１】
0003604725.tif 000012
【図１２】
0003604725.tif 000013
【図１３】
0003604725.tif 000014
【図１４】
0003604725.tif 000015
【図１５】
0003604725.tif 000016
【図１６】
0003604725.tif 000017
【図１７】
0003604725.tif 000018
【図１８】
0003604725.tif 000019
【図１９】
0003604725.tif 000020
【図２０】
0003604725.tif 000021